(57)【要約】【課題】  強度および意匠性を損なうことなく、組立て容易で単純な構造の建具の障子、これを備えた建具および浴室建具を提供することを課題とする。【解決手段】  建具１Ａの枠体２１に開閉自在に装着される建具の障子２３であって、上框４２、下框４３および両縦框４４，４５を、４つのコーナー部品４６から成る接合手段により框組みした枠状フレーム４１と、枠状フレーム４１の一方の見付け面に固着した面材４７と、接合手段４６に組み込まれ、枠体２１と協働して開閉に供する開閉機能部品２２と、を備えたものである。【選択図】  図１
2005315006.tif 000002
【特許請求の範囲】
【請求項１】
建具の枠体に開閉自在に装着される建具の障子であって、
上框、下框および両縦框を、４つのコーナー部品から成る接合手段により框組みした枠状フレームと、
前記枠状フレームの一方の見付け面に固着した面材と、
前記接合手段に組み込まれ、前記枠体と協働して開閉に供する開閉機能部品と、を備えたことを特徴とする建具の障子。
【請求項２】
前記面材は、前記接合手段により非固定状態に仮組みした前記枠状フレームの見付け面に接着されていることを特徴とする請求項１に記載の建具の障子。
【請求項３】
前記下框と前記面材の下端部とは、短尺のスペーサを介して接着され、
且つ前記下框と前記面材の下端部とに渡って、室内外に連通する換気通路が形成され、
前記換気通路は、前記面材の下端部に形成した切詰め部、開口部および切欠き部のいずれかと、前記切詰め部、前記開口部および切欠き部のいずれかに連通すると共に前記下框と前記面材の下端部との間において上下方向に延在する間隙により構成されていることを特徴とする請求項１または２に記載の建具の障子。
【請求項４】
前記下框は、前記面材の下端部が接着される接着凸部と、前記接着凸部から上下方向に延びる下框本体とで構成され、
且つ前記下框と前記面材の下端部とに渡って、室内外に連通する換気通路が形成され、
前記換気通路は、前記面材の下端部に形成した開口部および切欠き部のいずれかと、前記開口部および切欠き部のいずれかに連通すると共に前記下框本体と前記面材の下端部との間において上下方向に延在する間隙により構成されていることを特徴とする請求項１または２に記載の建具の障子。
【請求項５】
前記建具がドアおよび開き窓のいずれかであり、
前記開閉機能部品が、左右一方の上下２つの前記コーナー部品に組み込まれた上下一対のヒンジで構成されていることを特徴とする請求項１ないし４のいずれかに記載の建具の障子。
【請求項６】
前記建具が折戸であり、
前記開閉機能部品が、左右一方の上下２つの前記コーナー部品に回転自在に組み込まれた上下一対のスライダで構成されていることを特徴とする請求項１ないし４のいずれかに記載の建具の障子。
【請求項７】
前記建具が吊り折戸であり、
前記開閉機能部品が、左右一方の上下２つの前記コーナー部品の上側の前記コーナー部品に組み込まれた吊り車と、下側の前記コーナー部品に回転自在に組み込まれたスライダとで構成されていることを特徴とする請求項１ないし４のいずれかに記載の建具の障子。
【請求項８】
前記開閉機能部品が、左右他方の上下２つの前記コーナー部品に組み込まれたラッチで構成されていることを特徴とする請求項６または７に記載の建具の障子。
【請求項９】
前記開閉機能部品が、左右他方の上下２つの前記コーナー部品の上側の前記コーナー部品に組み込まれたロック錠で構成されていることを特徴とする請求項６または７に記載の建具の障子。
【請求項１０】
前記建具が引戸および引違い窓のいずれかであり、
前記開閉機能部品が、下側２つの前記コーナー部品に組み込まれた一対の戸車と、上側２つの前記コーナー部品に組み込まれた一対の摺動部材とで構成されていることを特徴とする請求項１ないし４のいずれかに記載の建具の障子。
【請求項１１】
前記建具が吊り引戸であり、
前記開閉機能部品が、上側２つの前記コーナー部品に組み込まれた一対の吊り車と、下側２つの前記コーナー部品に組み込まれた一対の摺動部材とで構成されていることを特徴とする請求項１ないし４のいずれかに記載の建具の障子。
【請求項１２】
前記枠状フレームと前記前材とで構成される奥行き空間に位置して、オプション部品を配設したことを特徴とする請求項１ないし１１のいずれかに記載の建具の障子。
【請求項１３】
請求項１ないし１２のいずれかに記載の建具の障子と、前記障子を開閉自在に支持する枠体と、を備えたことを特徴とする建具。
【請求項１４】
浴室の開口部に設置される浴室建具であって、
請求項１ないし１２のいずれかに記載の建具の障子と、前記障子を開閉自在に支持する枠体と、を備え、
前記枠状フレームに対し前記面材が浴室側に配置されていることを特徴とする浴室建具。
【請求項１５】
前記オプション部品が、装飾格子、ブラインド、タオル掛けおよび手摺りのいずれかであることを特徴とする請求項１４に記載の浴室建具。
【発明の詳細な説明】
【技術分野】
【０００１】
本発明は、ドア、折戸、吊り折戸、引戸、吊り引戸等の出入口系の建具おける障子、或いは開き窓、引違い窓等の窓系の建具における障子、これを備えた建具および浴室建具に関するものである。
【背景技術】
【０００２】
従来のこの種の障子として、ドアの扉体（障子）に適用したものが知られている。この扉体は、上框、下框および両縦框を、４つのコーナー部品から成る接合手段により框組みした框体（枠状フレーム）と、框体の一方の見付け面に固着した板状部材（面材）と、一方の縦框に取り付けた取っ手と、で構成されている。各コーナー部品は軟質ゴムで構成され、両面粘着テープにより各框に固着されている。同様に、板状部材は両面粘着テープにより框体に固着されている。
【特許文献１】特開２００２−２０１８６９号公報（図５参照）
【発明の開示】
【発明が解決しようとする課題】
【０００３】
このような従来の建具の障子では、障子自身は単純な構成で簡単に組み立て得るが、実際の障子（扉体）として機能させるためには、これにヒンジ等の機能部品を組み込む必要があり、障子全体として構造の単純化やコストの削減を図ることができない問題があった。
【０００４】
本発明は、強度および意匠性を損なうことなく、組立て容易で単純な構造の建具の障子、これを備えた建具および浴室建具を提供することを課題としている。
【課題を解決するための手段】
【０００５】
本発明の建具の障子は、建具の枠体に開閉自在に装着される建具の障子であって、上框、下框および両縦框を、４つのコーナー部品から成る接合手段により框組みした枠状フレームと、枠状フレームの一方の見付け面に固着した面材と、接合手段に組み込まれ、枠体と協働して開閉に供する開閉機能部品と、を備えたことを特徴とする。
【０００６】
この構成によれば、上框、下框および両縦框を、４つのコーナー部品から成る接合手段により框組みした枠状フレームに対し、その一方の見付け面に面材を固着するようにしているため、枠状フレームと面材とが一体化され、全体として見込み方向および見付け方向の曲げ強度を十分に持たせることができる。このため、面材の強度を活用した分、上框、下框および両縦框のそれぞれの見付け面における幅寸法（断面二次モーメント値）を小さくすることができ、その分、額縁状の周縁部が目立つことがなく、すっきりしたデザインに仕上げることができる。また、面材が透光性の部材である場合には、採光面積を広くとることができる。さらに、接合手段に、枠体と協働して開閉に供する開閉機能部品を組み込むようにしているため、開閉機能部品を上框、下框および両縦框に組み込む必要がなく、全体として、構造を単純化できると共に組立て性を向上させることができる。なお、コーナー部品は、上框、下框および両縦框の小口キャップを兼ねるものであることが、好ましい。
【０００７】
この場合、面材は、接合手段により非固定状態に仮組みした前記枠状フレームの見付け面に接着されていることが、好ましい。
【０００８】
この構成によれば、接合手段と上框、下框および両縦框とを本固定する必要がないため、より一層、組立て性を向上させることができる。なお、仮組みでは、接合手段（４つのコーナー部品）と上框、下框および両縦框とが、位置ずれしないように相互間を凹凸形状として、接合することが好ましい。
【０００９】
これらの場合、下框と面材の下端部とは、短尺のスペーサを介して接着され、且つ下框と面材の下端部とに渡って、室内外に連通する換気通路が形成され、換気通路は、面材の下端部に形成した切詰め部、開口部および切欠き部のいずれかと、切詰め部、開口部および切欠き部のいずれかに連通すると共に下框と面材の下端部との間において上下方向に延在する間隙により構成されていることが、好ましい。
【００１０】
この構成によれば、面材の接着工程において、下端部に切詰め部、開口部および切欠き部のいずれかを形成した面材と下框とを短尺のスペーサを介して接着することにより、特別な作業を必要とすることなく、上下方向に延在する通気通路を簡単に構成することができる。
【００１１】
同様に、下框は、面材の下端部が接着される接着凸部と、接着凸部から上下方向に延びる下框本体とで構成され、且つ下框と面材の下端部とに渡って、室内外に連通する換気通路が形成され、換気通路は、面材の下端部に形成した開口部および切欠き部のいずれかと、開口部および切欠き部のいずれかに連通すると共に下框本体と面材の下端部との間において上下方向に延在する間隙により構成されていることが、好ましい。
【００１２】
この場合も、面材の接着工程において、下端部に開口部および切欠き部のいずれかを形成した面材と下框の接着凸部とを接着することにより、特別な作業を必要とすることなく、上下方向に延在する通気通路を簡単に構成することができる。
【００１３】
これらの場合、建具がドアおよび開き窓のいずれかであり、開閉機能部品が、左右一方の上下２つのコーナー部品に組み込まれた上下一対のヒンジで構成されていることが、好ましい。
【００１４】
同様に、建具が折戸であり、開閉機能部品が、左右一方の上下２つのコーナー部品に回転自在に組み込まれた上下一対のスライダで構成されていることが、好ましい。
【００１５】
同様に、建具が折戸であり、開閉機能部品が、左右一方の上下２つのコーナー部品に回転自在に組み込まれた上下一対のスライダで構成されていることが、好ましい。
【００１６】
同様に、建具が折戸であり、開閉機能部品が、左右一方の上下２つのコーナー部品に回転自在に組み込まれた上下一対のスライダで構成されていることが、好ましい。
【００１７】
同様に、建具が吊り折戸であり、開閉機能部品が、左右一方の上下２つのコーナー部品の上側のコーナー部品に組み込まれた吊り車と、下側のコーナー部品に回転自在に組み込まれたスライダとで構成されていることが、好ましい。
【００１８】
同様に、開閉機能部品が、左右他方の上下２つのコーナー部品に組み込まれたラッチで構成されていることが、好ましい。
【００１９】
同様に、開閉機能部品が、左右他方の上下２つのコーナー部品の上側のコーナー部品に組み込まれたロック錠で構成されていることが、好ましい。
【００２０】
同様に、建具が引戸および引違い窓のいずれかであり、開閉機能部品が、下側２つのコーナー部品に組み込まれた一対の戸車と、上側２つのコーナー部品に組み込まれた一対の摺動部材とで構成されていることが、好ましい。
【００２１】
同様に、建具が吊り引戸であり、開閉機能部品が、上側２つのコーナー部品に組み込まれた一対の吊り車と、下側２つのコーナー部品に組み込まれた一対の摺動部材とで構成されていることが、好ましい。
【００２２】
これらの構成によれば、ドア、開き窓、折戸、吊り折戸、引戸、引違い窓および吊り引戸のそれぞれの障子において、適宜そのコーナー部品に、開閉機能部品としてヒンジ、スライダ、ラッチ、ロック錠、吊り車、戸車、摺動部材を組み込むようにしているため、各コーナー部品に開閉機能部品を組み込んでおいてから、障子自身の組み立てを行うことができ、組立を簡単に行うことができると共に構造を単純化することができる。
【００２３】
これらの場合、同様に、枠状フレームと前材とで構成される奥行き空間に位置して、独自の機能を有するオプション部品を配設することが、好ましい。
【００２４】
この構成によれば、枠状フレームと前材とで構成される奥行き空間を有効に活用することができると共に、障子自体にオプション部品の持つ独自の機能を付加することができる。
【００２５】
本発明の建具は、上記した建具の障子と、障子を開閉自在に支持する枠体と、を備えたことを特徴とする。
【００２６】
この構成によれば、強度に遜色がなく、意匠性を向上させた低コストの建具を提供することができる。また、面材を透光性の材料で構成した場合には、採光性を向上させることができる。
【００２７】
本発明の浴室建具は、浴室の開口部に設置される浴室建具であって、上記した建具の障子と、障子を開閉自在に支持する枠体と、を備え、枠状フレームに対し面材が浴室側に配置されていることを特徴とする。
【００２８】
この構成によれば、強度に遜色がなく、意匠性を向上させた低コストの浴室建具を提供することができる。また、面材を透光性の材料で構成した場合には、採光性を向上さることができる。さらに、障子の浴室側には枠状フレームが面することがなく、ごみの付着やカビの発生を抑制することができる。
【００２９】
この場合、オプション部品が、装飾格子、ブラインド、タオル掛けおよび手摺りのいずれかであることが、好ましい。
【００３０】
この構成によれば、デザインおよび機能の優れた低コストの浴室建具を提供することができる。
【発明の効果】
【００３１】
以上のように、本発明の建具の障子、これを備えた建具および浴室建具によれば、強度および意匠性を損なうことなく、低コストの障子、建具および浴室建具を提供することができる。
【発明を実施するための最良の形態】
【００３２】
以下、添付図面を参照して、本発明の一実施形態に係る建具の障子を浴室建具に適用した場合について説明する。この浴室は、脱衣室との間にほぼ段差を無くした（実際には３ｍｍの段差がある）バリアフリー設計となっており、ユニットバスで構成した浴室と脱衣室との間の出入口に、浴室建具が取り付けられている。図１ないし図３に示すように、浴室建具は、出入口となる浴室ドア１Ａと、浴室ドア１Ａに連窓形式で併設した縦長の小窓形式のフィックス窓２とで構成されている。
【００３３】
フィックス窓２は、浴室ドア１Ａの上半部の位置に横並びに配設されており、窓枠１１と窓枠１１に装着した樹脂製の窓パネル１２とで構成されている。窓枠１１は、それぞれアルミニウムの形材等で形成して窓上枠１４、窓下枠１５および左右の両窓縦枠１６，１６を方形に枠組みして構成され、この框体を兼ねる窓枠１１に、窓パネル１２が浴室Ａ側から押縁形式で装着されている。
【００３４】
浴室ドア１Ａは、出入口開口部を構成するドア枠（枠体）２１と、後述する上下のヒンジ２２により、ドア枠２１に開閉自在に支持された框戸である障子２３とで構成されている。ドア枠２１は、それぞれアルミニウムの形材等で形成して上枠３１、下枠３２および左右の両縦枠３３，３３を方形に枠組みして、構成されている。また、上枠３１には上枠シール部材３４が、下枠３２には下枠シール部材３５が、そして各縦枠３３には縦枠シール部材３６がそれぞれ装着されており、ドア枠２１と閉塞状態の障子２３との間が四周に渡ってシールされるようになっている。そして、ユニットバスの防水パン４で構成される浴室床５と、ドア枠２１の下枠３２と、脱衣室Ｂの脱衣室床６とはほぼ面一に、すなわち段差が生じないように配設されている。
【００３５】
一方、障子２３は、それぞれアルミニウムの形材等で形成した上框４２、下框４３、戸先縦框４４および吊元縦框４５を、接合部材（４６）である４つのコーナー部品４６ａ，４６ｂ，４６ｃ，４６ｄを介して方形に框組みた枠状フレーム４１に、浴室Ａ側からパネル体（面材）４７を固着して、構成されている。パネル体４７は、樹脂やガラス等で構成されており、例えば戸建住宅や集合住宅等に用いるものでは透光性の材料で構成し、ホテル等に用いるものでは非透光性の材料で構成することが、好ましい。また、パネル体４７は、枠状フレーム４１の縦横の大きさとほぼ同一の大きさを有しており、枠状フレーム４１に対し両面粘着テープ４８や接着剤等で固着されている。
【００３６】
上框４２は、パネル体４７が固着される縦長中空形状の上框本体５１と、上框本体５１の下半部から脱衣室Ｂ側に突出する方形断面の上装飾中空部５２と、上框本体５１の脱衣室Ｂ側端から上方に延設した脱衣室側起立片５３と、上框本体５１の浴室Ａ側端から上方に延設した浴室側起立片５４と、で一体に形成されている。また、上框４２には、基部を浴室側起立片５４の上端部に係止され、浴室Ａ側に「Ｌ」字状に延びる上パネル押さえ５５が設けられている。上パネル押さえ５５は、二股に形成された浴室側起立片５４の上端部に嵌合するようにして係止され、パネル体４７の上縁部を押さえるように覆っている。なお、上記の上枠シール部材３４は、脱衣室側起立片５３に密接する。
【００３７】
下框４３は、パネル体４７から離間して配設された略縦長中空形状の下框本体５７と、下框本体５７の上半部から脱衣室側に突出する略方形断面の下装飾中空部５８と、下框本体５７の脱衣室Ｂ側端から下方に延設した脱衣室側垂下片５９と、下框本体５７の浴室Ａ側端から下方に延設した浴室側垂下片６０と、で一体に形成されている。下框本体５７の上面と下装飾中空部５８の上面とは面一に形成され、浴室Ａ側に下り勾配の傾斜面となっている。脱衣室側垂下片５９の下端部には、浴室Ａ側に向いたシール装着部６１が形成されており、このシール装着部６１には、下枠シール部材３５に密接するクランク状断面の下框シール部材６２が装着されている。
【００３８】
上述したように、下框本体５７および浴室側垂下片６０とパネル体４７の下端部との間には間隙が構成され、またパネル体４７の下端部は幾分切り詰められており、この間隙とパネル体４７の切詰め部４７ａにより、脱衣室Ｂ側と浴室Ａ側を連通する換気通路６３が構成されている。換気通路６３は、下框本体５７および浴室側垂下片６０で構成される浴室Ａ側の壁面により上下に延在して、浴室Ａ側の排水が脱衣室Ｂ側に浸入するのを阻止している。また、下框本体５７および下装飾中空部５８の上面で構成される上記の傾斜面は、脱衣室Ｂ側に深く浸入した排水を浴室Ａ側に押し戻すよう機能する。なお、図示では省略したが、下框本体５７とパネル体４７の下端部との間に、適宜スペーサ（パネル体４７の幅により個数を設定）を介設し、このスペーサを介してパネル体４７を下框４３に接着することが、好ましい。
【００３９】
図４は、換気通路６３の変形例であり、図４（ａ）のものでは、パネル体４７の下端部を切り詰めることなく、この部分にスリット状の開口部（横並びに複数で構成しても可）４７ｂを形成することで、換気通路６３の一部を構成している。また、図４（ｂ）のものでは、上記のスペーサに代えて、下框４３自体にパネル体４７を固着するための固着中空部（接着凸部）６５を形成すると共に、この固着中空部６５の上側に臨んでスリット状の開口部（横並びに複数で構成しても可）４７ｂを形成することで、換気通路６３の一部を構成している。なお、これら開口部４７ｂに代えて、パネル体４７の下端部に下側から切り込んだ切欠き部を形成するようにしてもよい。
【００４０】
一方、図１ないし３に示すように、戸先縦框４４は、正方形中空形状の戸先縦框本体７１と、戸先縦框本体７１の見付け方向内側に添設した補強中空部７２と、戸先縦框本体７１と補強中空部７２の境界部分から脱衣室Ｂ側に「Ｌ」字状に突出形成した脱衣室側取っ手片７３と、戸先縦框本体７１の外端から浴室Ａ側に「Ｌ」字状に突出した浴室側取っ手片７４と、で一体に形成されている。また、浴室側取っ手片７４の基部には、戸先縦框本体７１からパネル体４７の厚み分の間隙を存して内向きに突出する縦押さえ片７５が形成されており、この縦押さえ片７５はパネル体４７の一方の側縁部を押さえるように覆っている。また、この状態で、パネル体４７は、戸先縦框本体７１および補強中空部７２の浴室Ａ側の面に固着（両面粘着テープ４８）されている。なお、上記の一方の縦枠シール部材３６は、戸先縦框本体７１の脱衣室Ｂ側の面に密接している。
【００４１】
吊元縦框４５は、正方形中空形状の吊元縦框本体７７と、吊元縦框本体７７の見付け方向内側に添設した補強中空部７８と、補強中空部７８の脱衣室Ｂ側に連設されその見付け面を上記の脱衣室側取っ手片７３に似せた縦装飾中空部７９と、で一体に形成されている。吊元縦框本体７７の外端部浴室Ａ側は二股に形成されており、この二股部分に、縦パネル押さえ８０が係止されている。縦パネル押さえ８０は、浴室Ａ側に「Ｌ」字状に延び、パネル体４７の一方の側縁部を押さえるように覆っている。また、この状態で、パネル体４７は、吊元縦框本体７７および補強中空部７８の浴室Ａ側の面に固着（両面粘着テープ４８）されている。
なお、上記の縦枠シール部材３６は、吊元縦框本体７７の脱衣室Ｂ側の面に密接している。
【００４２】
次に、図５を参照して、接合部材を構成する各コーナー部品４６について説明する。同図（ａ）は、戸先側の上下のコーナー部品（正確には上側のコーナー部品４６ａ）４６ａ，４６ｃであり、同図（ｂ）は、吊元側の上下のコーナー部品（正確には上側のコーナー部品４６ｂ）４６ｂ，４６ｄである。なお、以下の実施形態において、コーナー部品４６は硬質の樹脂やアルミダイキャスト等で構成することが、好ましい。
【００４３】
同図（ａ）の戸先側の各コーナー部品４６ａ，４６ｃは、上框４２、下框４３および戸先縦框４４の小口キャップを兼ねる部品本体８２と、部品本体８２から直角に延びる縦框接合部８３と、部品本体８２から水平に延びる上下框接合部８４と、で「Ｌ」字状に一体に形成されている。縦框接合部８３は、戸先縦框本体７１に嵌合する部分であり、その外周部が戸先縦框本体７１の中空部（内周部）と相補的な矩形形状に形成されている。縦框接合部８３と部品本体８２との境界部分は、戸先縦框本体７１の肉厚分の段部となっており、戸先縦框４４にコーナー部品４６ａ，４６ｃを接合した状態では、部品本体８２と戸先縦框本体７１との相互の接する面が、面一に接合されるようになっている。
【００４４】
同様に、上下框接合部８４は、上側のコーナー部品４６ａのものでは上框４２に嵌合し、下側のコーナー部品４６ｃのものでは下框４３に嵌合する部分である。このため、上側のコーナー部品４６ａの上下框接合部８４は、その外周面が上框本体５１の内周部と相補的な矩形形状に形成され、同様に下側のコーナー部品４６ｃの上下框接合部８４は、その外周面が下框本体５７の内周部と相補的な矩形形状に形成されている。
【００４５】
一方、同図（ｂ）の吊元側の各コーナー部品４６ｂ，４６ｄは、上記の戸先側のコーナー部品４６ａ，４６ｃと同一の基本形態を有している（説明省略）が、このコーナー部品４６ｂ，４６ｄにはヒンジ２２が組み込まれており、ヒンジ付きコーナー部品４６ｂ，４６ｄとしてユニット化されている。すなわち、上框４２、下框４３および吊元縦框４５の小口キャップを兼ねる部品本体８２と縦框接合部８３と上下框接合部８４と、で一体に形成されると共に、上側のコーナー部品４６ｂには、その部品本体８２から上方に突出するヒンジ（正確にはヒンジピン）２２が組み込まれ、また下側のコーナー部品４６ｄには、その部品本体８２から下方に突出するヒンジ（正確にはヒンジ受け）２２が組み込まれている。そして、上側のコーナー部品４６ｂのヒンジ２２は、上枠３１の吊元側に設けたヒンジ受け３７に回転自在に係合し、下側のコーナー部品４６ｄのヒンジ２２は、下枠３２の吊元側に設けたヒンジピン３８に回転自在に係合している。そして、これらコーナー部品４６ｂ，４６ｄのヒンジ（ヒンジピンおよびヒンジ受け）２２，２２と上下両枠のヒンジピン３８およびヒンジ受け３７により、浴室ドア１Ａのヒンジ機構（好ましくはグラビティヒンジ）が構成されている。
【００４６】
次に、図６を参照して、このように構成された障子２３の組立方法について簡単に説明する。障子２３の組立てにあたっては、予め２つのヒンジ２２無しの上記コーナー部品４６ａ，４６ｃと、２つのヒンジ２２付の上記コーナー部品４６ｂ，４６ｄと、を用意しておく。また、下框４３には下框シール部材６２を装着しておく。そして先ず、上框４２、下框４３、戸先縦框４４および吊元縦框４５を、それぞれ浴室Ａ側となる面を上向きにして方形に並べ、これに４つのコーナー部品４６ａ，４６ｂ，４６ｃ，４６ｄを組み込んで枠状フレーム４１を組み上げる。この場合各コーナー部品４６は、対応する各框４２，４３，４４，４５の小口に接着或いはビス止めしてもよいし、単に嵌合させるだけの仮組み状態としてもよい。ただし、仮組みの場合には、組み上げた枠状フレーム４１を治具などで押さえておくことが、好ましい。また、パネル体４７の固着により全体が一体化されるため、各コーナー部品４６と対応する各框４２，４３，４４，４５とを接合（本固定、仮固定を問わず）する場合に、一般的なサッシ（建具）のように、接合端面にシーラー等のシール処理を行う必要は無い。
【００４７】
次に、枠状フレーム４１の上面（最終的に浴室Ａ側となる面）に、四周に渡って（ただし下框は一部）両面粘着テープ４８を貼着する。ここで、パネル体４７を持ち込み、その戸先側となる端部を戸先縦框４４の縦押さえ片７５の内側に挿入しつつ、全体を位置決めしながら枠状フレーム４１に載せ込むようにして貼着する。この状態で、両面粘着テープ４８を介して枠状フレーム４１とパネル体４７とが一体化する。そして最後に、上パネル押さえ５５および縦パネル押さえ８０をそれぞれ上框４２および吊元縦框４５に装着する。
【００４８】
ところで、図７に示すように、本実施形態の障子２３では、枠状フレーム４１の脱衣室Ｂ側に、パネル体４７に面する奥行きのある空間２４が構成されることから、この空間２４部分に独自の機能を有するオプション部品２５を組み込み得るようにしている。同図（ａ）は、オプション部品２５としてブラインド９０Ａを組み込んだものであり、ブラインド９０Ａは、ブラインド本体９１を垂設した中空フレーム９２で、上框本体５１の下面に固定されている。同様に、同図（ｂ）は、オプション部品２５として格子９０Ｂを組み込んだものであり、格子９０Ｂは、複数の縦格子９３および／または複数の横格子９４を組み付けた四周枠９５で、上框本体５１の下面および両縦框本体７１，７７の内面に固定されている。
【００４９】
さらに、同図（ｃ）は、オプション部品２５としてタオル掛け９０Ｃを組み込んだものであり、タオル掛け９０Ｃは、掛け棒９６を支持する両側のアーム９７が、図示しない左右の受けブロックを介して両縦框本体７１，７７に固定されている。この場合、アーム９７は受けブロックに回動自在に支持されていて、いわゆる持出し式のタオル掛け９０Ｃを構成している。なお、図示しないが、その他のオプション部品２５として、手摺りや棚板等を用意しておくことが好ましい。
【００５０】
以上のように、本実施形態によれば、４つのコーナー部品４６を介して上框４２、下框４３、戸先縦框４４および吊元縦框４５を接合して枠状フレーム４１を組み上げ、この枠状フレーム４１の浴室Ａ側の面に両面粘着テープ４８を介してパネル体４７を貼着し、障子２３を構成しているので、障子２３を極めて単純な構造とすることができ、且つ障子２３を極めて簡単に組み立てることができる。また、障子２３の開閉のための機能部品であるヒンジ２２をコーナー部品４６ｂ，４６ｄに組み込むようにしているため、この点でも、障子２３を単純且つ組立て容易な構造とすることができ、全体としてコストダウンを図ることができる。
【００５１】
一方、枠状フレーム４１にパネル体４７を固着する構造であるため、この両者が一体化し、強度を格段にアップすることができる。また、その分、枠状フレーム４１を正面視薄手に形成することができ、すっきりとしたデザインに仕上げることができる。すなわち、意匠性を向上させつつコストダウンを達成することができる。しかも、障子２３の脱衣室Ｂ側の部分にオプション部品２５を適宜、組み込むようにしているため、機能性を損なうことがない。
【００５２】
上記の実施形態では、出入口系の建具として浴室ドア１Ａについて説明したが、本発明の障子２３は、その他折戸や引戸等にも適用可能である。例えば、図８（ａ）の模式図に示すように、折戸１Ｂの場合であれば、その戸先側障子１０１Ａおよび戸尻側障子１０１Ｂを、それぞれ枠状フレーム４１にパネル体４７を固着した構成にすると共に、戸先側障子１０１Ａの左右一方（戸先側）の上下各コーナー部品４６ａ，４６ｃにヒンジピン付のスライダ１０２，１０２を回転自在に組み込む一方、左右他方（連結側）の上下各コーナー部品４６ｂ，４６ｄにラッチ１０３，１０３を組み込むようにする。同様に、戸尻側障子１０１Ｂの左右一方（吊元側）の上下各コーナー部品４６ａ，４６ｃにヒンジピン付のスライダ１０２，１０２を回転自在に組み込む一方、左右他方（連結側）の上側のコーナー部品４６ｂにロック錠１０４を組み込むようにする。さらに、連結側の上下２組のコーナー部品４６ｂ，４６ｄに、それぞれ連結部材（ヒンジ）を組み込むようにしてもよい。
【００５３】
なお、図示しないが、これが吊り折戸であれば、戸先側障子の上側のスライダを組み込んだコーナー部品には、これに代えてヒンジピン付の吊り車が回転自在に組み込まれ、同様に戸尻側障子の上側のスライダを組み込んだコーナー部品には、これに代えてヒンジピン付の吊り車が回転自在に組み込まれる。
【００５４】
また、図８（ｂ）の模式図に示すように、引戸（３枚引戸）１Ｃの場合であれば、各障子１１１の下側の各コーナー部品４６ｃ，４６ｄに戸車１１２が組み込まれ、上側の各コーナー部品４６ａ，４６ｂに摺動部材１１３が組み込まれる。また図示しないが、これが吊り引戸であれば、各障子の上側の各コーナー部品に吊り車が組み込まれ、下側の各コーナー部品に摺動部材が組み込まれる。
【００５５】
次に、図９および図１０を参照して、第２実施形態について説明する。なお、以下の実施形態では、第１実施形態と異なる部分を主に説明する。この実施形態は、本発明を、いわゆる断熱サッシとしての引違い窓（建具）１Ｄに適用したものである。両図に示すように、この引違い窓１Ｄは、断熱仕様の窓枠１２１と、これに開閉自在に装着した内障子１２２Ａおよび外障子１２２Ｂとで構成されている。窓枠１２１は、内外２本の上レール１２４，１２４を形成した上枠１２３、内外２本の下レール１２６，１２６を形成した下枠１２５および左右の両縦枠１２７，１２７を枠組みして構成されており、これら各枠１２３，１２５，１２７には、見込み方向の中間位置に断熱材１２８が介設されている。
【００５６】
内障子１２２Ａは、第１実施形態の障子２３と同様に、上框１３２、下框１３３および両縦框１３４，１３４を４つのコーナー部品１３５ａ，１３５ｂ，１３５ｃ，１３５ｄを介して方形に框組みた枠状フレーム１３１に、屋外側から複層ガラス（面材）１３６を両面粘着テープ１３７により固着して、構成されている。同様に、外障子１２２Ｂは、上框１３２、下框１３３および両縦框１３４，１３４を４つのコーナー部品１３５ａ，１３５ｂ，１３５ｃ，１３５ｄを介して方形に框組みた枠状フレーム１３１に、屋外側から複層ガラス（面材）１３６を両面粘着テープ１３７により固着して、構成されている。
【００５７】
内外両障子１２２Ａ，１２２Ｂの各上框１３２は、略「Ｈ」字断面の上框本体１４１，と上パネル押さえ（押さえ片）１４２と、で一体に形成されている。同様に、各下框１３３は、方形断面の下框本体１４３と下パネル押さえ１４４、とで一体に形成されている。さらに、戸先側の縦框１３４は、方形断面の縦框本体１４５と縦パネル押さえ１４６と、で一体に形成され、召合わせ側の縦框１３４は、方形断面の縦框本体１４５と補強中空部１４７と縦パネル押さえ１４６と、で一体に形成されている。このように、各枠状フレーム１３１の屋外側には、複層ガラス１３６の周縁部を覆うように四周に渡ってパネル押さえ１４２，１４４，１４６が突設されている。
【００５８】
一方、内外各障子１２２Ａ，１２２Ｂにおいて、図１１に示すように、その４つのコーナー部品１３５ａ，１３５ｂ，１３５ｃ，１３５ｄのうち下側の２つのコーナー部品１３５ｃ，１３５ｄには、その部品本体８２に下レール１２６上を転動する戸車１４８，１４８がそれぞれ組み込まれている。また、上側の２つのコーナー部品１３５ａ，１３５ｂには、上レール１２４に摺接するモヘア等の摺動片（摺動部材）１４９，１４９がそれぞれ組み込まれている。すなわち、内外両障子１２２Ａ，１２２Ｂは、それぞれのコーナー部品１３５に組み込まれた２組の戸車１４８と２組の摺動片１４９とにより、円滑に開閉される。
【００５９】
次に、図１２および図１３を参照して、第３実施形態について説明する。この実施形態は、本発明を、ハンドル操作で開閉する外開きの縦すべり出し窓（建具）１Ｅに適用したものである。両図に示すように、この縦すべり出し窓１Ｅは、窓枠１５１と、これにすべり出し形式で開閉自在に装着した障子１５２と、屋内側に設けた網戸１５３とで構成されている。窓枠１５１は、上レール溝１５６を形成した上枠１５５、下レール溝１５８を形成した下枠１５７および左右の両縦枠１５９，１５９を枠組みして構成されており、また下枠１５７にはハンドル１６１が、一方の縦枠１５９にはハンドル１６１操作により作動する開閉機構１６２が組み込まれている。
【００６０】
障子１５２は、第２実施形態の内外各障子１２２と同様に、上框１６５、下框１６６および両縦框１６７，１６７を４つのコーナー部品１６８ａ，１６８ｂ，１６８ｃ，１６８ｄを介して方形に框組みた枠状フレーム１６４に、屋外側から複層ガラス（面材）１６９を両面粘着テープ１７０により固着して、構成されている。また、各枠状フレーム１６４の屋外側には、複層ガラス１６９の周縁部を覆うように四周に渡ってパネル押さえ１７１が突設されている。
【００６１】
そして、４つのコーナー部品１６８ａ，１６８ｂ，１６８ｃ，１６８ｄのうち吊元側の２つのコーナー部品１６８ｂ，１６８ｄには、その部品本体８２に、上下各レール溝１５６，１５９にスライド自在に係合するスライダ１７３と、スライダ１７３に回転自在に連結したヒンジピン１７４とが、それぞれ組み込まれている。これにより、障子１５２は、ハンドル１６１の回転操作で２つのコーナー部品１６８に組み込まれたスライダ１７３およびヒンジピン（スライダ付ヒンジ）１７４により、見付け方向にスライドしながら屋外側に開放される。
【００６２】
ところで、上記の実施形態では、窓系の建具として引違い窓１Ｄおよび縦すべり出し窓１Ｅについて説明したが、本発明の障子は、その他片引き窓、上げ下げ窓、横すべり出し窓、オーニング窓、内倒し窓等にも適用可能である。例えば  片引き窓、でば、コーナー部品に戸車や摺動片を組み込み、上げ下げ窓では、コーナー部品にスライダを組み込むようにする。また、横すべり出し窓では、コーナー部品にスライダ付のヒンジを、オーニング窓および内倒し窓では、コーナー部品にスライダ付のヒンジをくみコーナー部品にスライダ付のヒンジを組み込むようにする。
【図面の簡単な説明】
【００６３】
【図１】本発明の実施形態に係る浴室ドア（浴室建具）の浴室側から見た姿図である。
【図２】実施形態に係る浴室ドアの縦断面図である。
【図３】実施形態に係る浴室ドアの横断面図である。
【図４】換気通路の変形例を示す拡大断面図である。
【図５】コーナー部品の拡大斜視図である。
【図６】浴室ドアの障子の組立て手順を表した説明図である。
【図７】各種オプション部品を装着した状態の浴室ドアの縦断面図である。
【図８】実施形態に係る折戸（ａ）および引戸（ｂ）の模式図である。
【図９】第２実施形態に係る引違い窓の縦断面図である。
【図１０】第２実施形態に係る引違い窓の横断面図である。
【図１１】コーナー部品の拡大斜視図である。
【図１２】第３実施形態に係るすべり出し窓の縦断面図である。
【図１３】第３実施形態に係るすべり出し窓の横断面図である。
【符号の説明】
【００６４】
１Ａ  浴室ドア、１Ｂ  折戸、１Ｃ  引戸、１Ｄ  引違い窓、１Ｅ  縦すべり出し窓、２１  ドア枠、２２  ヒンジ、２３  障子、２４  空間、２５    オプション部品、４１  枠状フレーム、４２  上框、４３  下框、４４  戸先縦框、４５  吊元縦框、４６  コーナー部品、４７  パネル体、４７ａ  切詰め部、  ４７ｂ  開口部、４８  両面粘着テープ、６３  換気通路、６５  固着中空部、８２  部品本体、８３  縦框接合部、８４  上下框接合部、９０Ａ  ブラインド、９０Ｂ  格子、９０Ｃ  タオル掛け、１０１Ａ  戸先側障子、１０１Ｂ  戸尻側障子、１０２  スライダ、１０３  ラッチ、１０４  ロック錠、１１１  障子、１１２  戸車、１１３  摺動部材、  １２１  窓枠、１２２Ａ  内障子、１２２Ｂ  外障子、１３１  枠状フレーム、１３２  上框、１３３  下框、１３４  縦框、１３５  コーナー部品、１３６  複層ガラス、１３７  両面粘着テープ、１４８  戸車、１４９  摺動片、１５１  窓枠、１５２  障子、１６４  枠状フレーム、１６５  上框、１６６  下框、１６７  縦框、１６８  コーナー部品、１７０  両面粘着テープ、１７３  スライダ、１７４  ヒンジピン、Ａ  浴室、Ｂ  脱衣室
【図１】
2005315006.tif 000003
【図２】
2005315006.tif 000004
【図３】
2005315006.tif 000005
【図４】
2005315006.tif 000006
【図５】
2005315006.tif 000007
【図６】
2005315006.tif 000008
【図７】
2005315006.tif 000009
【図８】
2005315006.tif 000010
【図９】
2005315006.tif 000011
【図１０】
2005315006.tif 000012
【図１１】
2005315006.tif 000013
【図１２】
2005315006.tif 000014
【図１３】
2005315006.tif 000015